【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
無認可無線周波数スペクトル帯域の帯域幅を通じて複数の信号を受信することと、
前記複数の信号における干渉信号を削除するためにコードワードレベルの干渉消去（ＣＷＩＣ）を適用すべきか、シンボルレベルの干渉消去（ＳＬＩＣ）を適用すべきかを決定することと
を備え、前記決定は、前記干渉信号が前記複数の信号におけるセルラー信号のための所望の信号ウィンドウ内にあるか、サポートされた帯域幅内にあるかに少なくとも部分的に基づく、
方法。
【請求項２】
前記干渉信号が少なくとも部分的に、前記サポートされた帯域幅の外にある旨の決定がなされたとき、前記干渉信号を削除するためにＳＬＩＣを適用することをさらに備える、
請求項１に記載の方法。
【請求項３】
前記干渉信号が前記サポートされた帯域幅内にある旨の決定がなされたとき、前記干渉信号を削除するためにＣＷＩＣまたはＳＬＩＣを適用することをさらに備える、
請求項１に記載の方法。
【請求項４】
前記干渉信号が前記サポートされた帯域幅の外にある旨の決定がなされたとき、および前記干渉信号が拡張された帯域幅を使用して再構成されるとき、前記干渉信号を削除するためにＣＷＩＣまたはＳＬＩＣを適用することをさらに備える、
請求項１に記載の方法。
【請求項５】
前記干渉信号が少なくとも部分的に前記所望の信号ウィンドウの外にある旨の決定がなされたとき、前記干渉信号を削除するためにＳＬＩＣを適用することをさらに備える、
請求項１に記載の方法。
【請求項６】
前記干渉信号が前記所望の信号ウィンドウ内にある旨の決定がなされたとき、前記干渉信号を削除するためにＣＷＩＣまたはＳＬＩＣを適用することをさらに備える、
請求項１に記載の方法。
【請求項７】
前記干渉信号が前記所望の信号ウィンドウの外にある旨の決定がなされたとき、および前記干渉信号が拡張された信号ウィンドウを使用して再構成されるとき、前記干渉信号を削除するためにＣＷＩＣまたはＳＬＩＣを適用することをさらに備える、
請求項１に記載の方法。
【請求項８】
ワイヤレス通信のための装置であって、
無認可無線周波数スペクトル帯域の帯域幅を通じて複数の信号を受信するための手段と、
前記複数の信号における干渉信号を削除するためにコードワードレベルの干渉消去（ＣＷＩＣ）を適用すべきか、シンボルレベルの干渉消去（ＳＬＩＣ）を適用すべきかを決定するための手段と
を備え、前記決定は、前記干渉信号が前記複数の信号におけるセルラー信号のための所望の信号ウィンドウ内にあるか、サポートされた帯域幅内にあるかに少なくとも部分的に基づく、
装置。
【請求項９】
前記干渉信号が少なくとも部分的に前記サポートされた帯域幅の外にある旨の決定がなされたとき、前記干渉信号を削除するためにＳＬＩＣを適用するための手段をさらに備える、
請求項８に記載の装置。
【請求項１０】
前記干渉信号が前記サポートされた帯域幅内にある旨の決定がなされたとき、前記干渉信号を削除するためにＣＷＩＣまたはＳＬＩＣを適用するための手段をさらに備える、
請求項８に記載の装置。
【請求項１１】
前記干渉信号が前記サポートされた帯域幅の外にある旨の決定がなされたとき、および前記干渉信号が拡張された帯域幅を使用して再構成されるとき、前記干渉信号を削除するためにＣＷＩＣまたはＳＬＩＣを適用するための手段をさらに備える、
請求項８に記載の装置。
【請求項１２】
前記干渉信号が少なくとも部分的に前記所望の信号ウィンドウの外にある旨の決定がなされたとき、前記干渉信号を削除するためにＳＬＩＣを適用するための手段をさらに備える、
請求項８に記載の装置。
【請求項１３】
前記干渉信号が前記所望の信号ウィンドウ内にある旨の決定がなされたとき、前記干渉信号を削除するためにＣＷＩＣまたはＳＬＩＣを適用するための手段をさらに備える、
請求項８に記載の装置。
【請求項１４】
前記干渉信号が前記所望の信号ウィンドウの外にある旨の決定がなされたとき、および前記干渉信号が拡張された信号ウィンドウを使用して再構成されるとき、前記干渉信号を削除するためにＣＷＩＣまたはＳＬＩＣを適用するための手段をさらに備える、
請求項８に記載の装置。
【請求項１５】
請求項１乃至７のいずれか１項に従う方法を実行するための命令を備えるコンピュータプログラム。
【手続補正２】
【補正対象書類名】明細書
【補正対象項目名】０１８６
【補正方法】変更
【補正の内容】
【０１８６】
[0201]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書に記載された例および設計に限定されるべきでなく、本明細書で開示される原理および新規の特徴に合致する最も広い範囲を与えられるべきである。
以下に、本願出願の当初の特許請求の範囲に記載された発明を付記する。
書類名］特許請求の範囲
［Ｃ１］
ワイヤレス通信のための方法であって、
セルラー受信機が、無認可無線周波数スペクトル帯域の帯域幅を通じて少なくともワイヤレスローカルエリアネットワーク（ＷＬＡＮ）信号とセルラー信号とを備える複数の信号を受信することと、
前記複数の信号のデジタルサンプルをバッファに記憶することと、
ＷＬＡＮ受信機が、前記記憶されたデジタルサンプルから前記ＷＬＡＮ信号の少なくとも一部分を再構成することと、
前記バッファのコンテンツが前記セルラー受信機による前記セルラー信号の復調および復号のために周波数領域に変換される前に、前記ＷＬＡＮ信号の前記再構成された部分を、前記記憶されたデジタルサンプルから削除することと
を備える方法。
［Ｃ２］
前記ＷＬＡＮ信号の少なくとも一部分を再構成することは、
前記記憶されたデジタルサンプルからＷＬＡＮプリアンブルを検出することと、
ＷＬＡＮペイロードについての変調および符号化情報を識別するために、前記ＷＬＡＮプリアンブルを復号することと、
少なくとも部分的に前記変調および符号化情報に基づいて、前記ＷＬＡＮペイロードの少なくとも一部分を復調し復号することと
を備える、［Ｃ１］に記載の方法。
［Ｃ３］
前記ＷＬＡＮ信号の少なくとも一部分を再構成することは、
前記複数の信号における前記セルラー信号の持続時間を識別することと、
前記ＷＬＡＮ信号の前記再構成された部分が前記セルラー信号の前記持続時間と同じ持続時間を有するように、前記ＷＬＡＮ信号の少なくとも一部分を再構成することと
を備える、［Ｃ１］に記載の方法。
［Ｃ４］
前記ＷＬＡＮ信号の少なくとも一部分を再構成することは、
前記複数の信号における前記セルラー信号の帯域幅を識別することと、
前記ＷＬＡＮ信号の前記再構成された部分が前記セルラー信号の前記帯域幅と同じ帯域幅を有するように、前記ＷＬＡＮ信号の少なくとも一部分を再構成することと
を備える、［Ｃ１］に記載の方法。
［Ｃ５］
前記ＷＬＡＮ信号の少なくとも一部分を再構成することは、
前記複数の信号のエネルギーに対応するメトリックを追跡することと、
追跡されている前記メトリックがしきい値を超えるまで、前記ＷＬＡＮ信号の少なくとも一部分を再構成することと
を備える、［Ｃ１］に記載の方法。
［Ｃ６］
前記ＷＬＡＮ信号の少なくとも一部分の前記再構成を実行するために、前記ＷＬＡＮ受信機によって前記バッファからの前記記憶されたデジタルサンプルにアクセスすることをさらに備える、
［Ｃ１］に記載の方法。
［Ｃ７］
前記ＷＬＡＮ受信機は、前記ＷＬＡＮ信号を送信したアクセスポイントに関連付けられることなしに、前記ＷＬＡＮ信号の少なくとも一部分の前記再構成を実行するように構成される、
［Ｃ６］に記載の方法。
［Ｃ８］
前記方法は、発展型ノードＢ（ｅＮＢ）とＵＥとから成るグループのうちの１つによって実行される、
［Ｃ１］に記載の方法。
［Ｃ９］
前記セルラー受信機は、ロングタームエボリューション（ＬＴＥ）受信機を備える、
［Ｃ１］に記載の方法。
［Ｃ１０］
ワイヤレス通信のための装置であって、
セルラー受信機が、無認可無線周波数スペクトル帯域の帯域幅を通じて少なくともワイヤレスローカルエリアネットワーク（ＷＬＡＮ）信号とセルラー信号とを備える複数の信号を受信するための手段と、
前記複数の信号のデジタルサンプルをバッファに記憶するための手段と、
前記記憶されたデジタルサンプルから前記ＷＬＡＮ信号の少なくとも一部分をＷＬＡＮ受信機によって再構成するための手段と、
前記バッファのコンテンツが前記セルラー受信機による前記セルラー信号の復調および復号のために周波数領域に変換される前に、前記ＷＬＡＮ信号の前記再構成された部分を、前記記憶されたデジタルサンプルから削除するための手段と
を備える装置。
［Ｃ１１］
前記ＷＬＡＮ信号の少なくとも一部分を前記再構成するための手段は、
前記記憶されたデジタルサンプルからＷＬＡＮプリアンブルを検出するための手段と、
ＷＬＡＮペイロードについての変調および符号化情報を識別するために、前記ＷＬＡＮプリアンブルを復号するための手段と、
少なくとも部分的に前記変調および符号化情報に基づいて、前記ＷＬＡＮペイロードの少なくとも一部分を復調し復号するための手段と
を備える、［Ｃ１０］に記載の装置。
［Ｃ１２］
前記ＷＬＡＮ信号の少なくとも一部分を前記再構成するための手段は、
前記複数の信号における前記セルラー信号の持続時間を識別するための手段と、
前記ＷＬＡＮ信号の前記再構成された部分が前記セルラー信号の前記持続時間と同じ持続時間を有するように、前記ＷＬＡＮ信号の少なくとも一部分を再構成するための手段と
を備える、［Ｃ１０］に記載の装置。
［Ｃ１３］
前記ＷＬＡＮ信号の少なくとも一部分を前記再構成するための手段は、
前記複数の信号における前記セルラー信号の帯域幅を識別するための手段と、
前記ＷＬＡＮ信号の前記再構成された部分が前記セルラー信号の前記帯域幅と同じ帯域幅を有するように、前記ＷＬＡＮ信号の少なくとも一部分を再構成するための手段と
を備える、［Ｃ１０］に記載の装置。
［Ｃ１４］
前記ＷＬＡＮ信号の少なくとも一部分を再構成するための前記手段が、
前記複数の信号のエネルギーに対応するメトリックを追跡するための手段と、
追跡されている前記メトリックがしきい値を超えるまで、前記ＷＬＡＮ信号の少なくとも一部分を再構成するための手段と
を備える、［Ｃ１０］に記載の装置。
［Ｃ１５］
前記ＷＬＡＮ受信機が、前記ＷＬＡＮ信号の少なくとも一部分の前記再構成を実行するために、前記バッファからの前記記憶されたデジタルサンプルにアクセスするための手段をさらに備える、
［Ｃ１０］に記載の装置。
［Ｃ１６］
前記ＷＬＡＮ受信機は、前記ＷＬＡＮ信号を送信したアクセスポイントに関連付けられることなしに、前記ＷＬＡＮ信号の少なくとも一部分の前記再構成を実行するように構成される、
［Ｃ１５］に記載の装置。
［Ｃ１７］
ワイヤレス通信のための方法であって、
無認可無線周波数スペクトル帯域の帯域幅を通じて複数の信号を受信することと、
前記複数の信号における干渉信号を削除するためにコードワードレベルの干渉消去（ＣＷＩＣ）を適用すべきか、シンボルレベルの干渉消去（ＳＬＩＣ）を適用すべきかを決定することと
を備え、前記決定は、前記干渉信号が前記複数の信号におけるセルラー信号のための所望の信号ウィンドウ内にあるか、サポートされた帯域幅内にあるかに少なくとも部分的に基づく、
方法。
［Ｃ１８］
前記干渉信号が少なくとも部分的に、前記サポートされた帯域幅の外にある旨の決定がなされたとき、前記干渉信号を削除するためにＳＬＩＣを適用することをさらに備える、
［Ｃ１７］に記載の方法。
［Ｃ１９］
前記干渉信号が前記サポートされた帯域幅内にある旨の決定がなされたとき、前記干渉信号を削除するためにＣＷＩＣまたはＳＬＩＣを適用することをさらに備える、
［Ｃ１７］に記載の方法。
［Ｃ２０］
前記干渉信号が前記サポートされた帯域幅の外にある旨の決定がなされたとき、および前記干渉信号が拡張された帯域幅を使用して再構成されるとき、前記干渉信号を削除するためにＣＷＩＣまたはＳＬＩＣを適用することをさらに備える、
［Ｃ１７］に記載の方法。
［Ｃ２１］
前記干渉信号が少なくとも部分的に前記所望の信号ウィンドウの外にある旨の決定がなされたとき、前記干渉信号を削除するためにＳＬＩＣを適用することをさらに備える、
［Ｃ１７］に記載の方法。
［Ｃ２２］
前記干渉信号が前記所望の信号ウィンドウ内にある旨の決定がなされたとき、前記干渉信号を削除するためにＣＷＩＣまたはＳＬＩＣを適用することをさらに備える、
［Ｃ１７］に記載の方法。
［Ｃ２３］
前記干渉信号が前記所望の信号ウィンドウの外にある旨の決定がなされたとき、および前記干渉信号が拡張された信号ウィンドウを使用して再構成されるとき、前記干渉信号を削除するためにＣＷＩＣまたはＳＬＩＣを適用することをさらに備える、
［Ｃ１７］に記載の方法。
［Ｃ２４］
ワイヤレス通信のための装置であって、
無認可無線周波数スペクトル帯域の帯域幅を通じて複数の信号を受信するための手段と、
前記複数の信号における干渉信号を削除するためにコードワードレベルの干渉消去（ＣＷＩＣ）を適用すべきか、シンボルレベルの干渉消去（ＳＬＩＣ）を適用すべきかを決定するための手段と
を備え、前記決定は、前記干渉信号が前記複数の信号におけるセルラー信号のための所望の信号ウィンドウ内にあるか、サポートされた帯域幅内にあるかに少なくとも部分的に基づく、
装置。
［Ｃ２５］
前記干渉信号が少なくとも部分的に前記サポートされた帯域幅の外にある旨の決定がなされたとき、前記干渉信号を削除するためにＳＬＩＣを適用するための手段をさらに備える、
［Ｃ２４］に記載の装置。
［Ｃ２６］
前記干渉信号が前記サポートされた帯域幅内にある旨の決定がなされたとき、前記干渉信号を削除するためにＣＷＩＣまたはＳＬＩＣを適用するための手段をさらに備える、
［Ｃ２４］に記載の装置。
［Ｃ２７］
前記干渉信号が前記サポートされた帯域幅の外にある旨の決定がなされたとき、および前記干渉信号が拡張された帯域幅を使用して再構成されるとき、前記干渉信号を削除するためにＣＷＩＣまたはＳＬＩＣを適用するための手段をさらに備える、
［Ｃ２４］に記載の装置。
［Ｃ２８］
前記干渉信号が少なくとも部分的に前記所望の信号ウィンドウの外にある旨の決定がなされたとき、前記干渉信号を削除するためにＳＬＩＣを適用するための手段をさらに備える、
［Ｃ２４］に記載の装置。
［Ｃ２９］
前記干渉信号が前記所望の信号ウィンドウ内にある旨の決定がなされたとき、前記干渉信号を削除するためにＣＷＩＣまたはＳＬＩＣを適用するための手段をさらに備える、
［Ｃ２４］に記載の装置。
［Ｃ３０］
前記干渉信号が前記所望の信号ウィンドウの外にある旨の決定がなされたとき、および前記干渉信号が拡張された信号ウィンドウを使用して再構成されるとき、前記干渉信号を削除するためにＣＷＩＣまたはＳＬＩＣを適用するための手段をさらに備える、
［Ｃ２４］に記載の装置。